(57)【要約】【課題】アキュームレータ部においてシート状の記録材料の搬送ジャムを防止するとともに搬送性を向上させて生産性を向上できる搬送方法及び画像記録装置を提供する。【解決手段】このシート状部材の搬送方法は、シート状部材を開閉可能なアキュームガイド部材でガイドして上流側搬送ローラと下流側搬送ローラとで搬送する際に、アキュームガイド部材を閉じ、下流側搬送ローラを駆動するとともに上流側搬送ローラを下流側搬送ローラよりも低速で駆動し、シート状部材をアキュームガイド部材でガイドしながら搬送し、シート状部材が下流側搬送ローラに到達すると、下流側搬送ローラの駆動を停止し、アキュームガイド部材を開き、シート状部材をアキュームレータ部に落下させる。【選択図】  図４
2004307114.tif 000002
【特許請求の範囲】
【請求項１】
シート状部材を開閉可能なアキュームガイド部材でガイドして上流側搬送ローラと下流側搬送ローラとで搬送する搬送方法であって、
前記アキュームガイド部材を閉じ、前記下流側搬送ローラを駆動するとともに前記上流側搬送ローラを前記下流側搬送ローラよりも低速で駆動し、前記シート状部材を搬送し、
前記シート状部材が前記下流側搬送ローラに到達すると、前記下流側搬送ローラの駆動を停止し、前記アキュームガイド部材を開き、前記シート状部材をアキュームレータ部に落下させることを特徴とするシート状部材の搬送方法。
【請求項２】
前記下流側搬送ローラの下流側近傍に配置された検出センサが前記シート状部材の先端を検出すると、前記下流側搬送ローラの駆動を停止し、前記アキュームガイド部材を開放することを特徴とする請求項１に記載のシート状部材の搬送方法。
【請求項３】
前記アキュームガイド部材の開放後に、前記上流側搬送ローラの搬送速度を前記アキュームガイド部材の開放前の搬送速度の１．５倍乃至８倍として前記シート状部材を高速搬送することを特徴とする請求項１または２に記載のシート状部材の搬送方法。
【請求項４】
シート状の記録材料を搬送するときにアキュームするアキュームレータ部を備える画像記録装置において、
前記アキュームレータ部に配置され前記シート状の記録材料をガイドするとともに前記アキュームのときに前記アキュームレータ部に開放されるアキュームガイド部材と、
前記アキュームガイド部材の上流側に設けられた上流側搬送ローラと、
前記アキュームガイド部材の下流側に設けられた下流側搬送ローラと、を備え、
前記上流側搬送ローラの搬送速度が前記下流側搬送ローラの搬送速度よりも遅い構成としたことを特徴とする画像記録装置。
【請求項５】
前記下流側搬送ローラの下流側近傍に前記シート状の記録材料を検出する検出手段を有することを特徴とする請求項４に記載の画像記録装置。
【請求項６】
前記検出手段は前記下流側搬送ローラの接点から２０ｍｍ以上６０ｍｍ以下の下流側位置に配置されたことを特徴とする請求項５に記載の画像記録装置。
【請求項７】
前記検出手段が前記シート状の記録材料の先端を検出すると、前記下流側搬送ローラの駆動を停止し、前記アキュームガイド部材を開放することを特徴とする請求項５または６に記載の画像記録装置。
【請求項８】
前記上流側搬送ローラの搬送速度を前記下流側搬送ローラの搬送速度の７０乃至９５％にすることを特徴とする請求項４乃至７のいずれか１項に記載の画像記録装置。
【請求項９】
前記下流側搬送ローラは、前記シート状の記録材料の送り出し方向への回転を自在とするワンウェイクラッチを有することを特徴とする請求項４乃至８のいずれか１項に記載の画像記録装置。
【請求項１０】
画像記録のときに前記シート状の記録材料を巻き付ける回転ドラムを備え、
前記上流側搬送ローラは前記回転ドラムとローラとの対から構成されたことを特徴とする請求項４乃至９のいずれか１項に記載の画像記録装置。
【請求項１１】
前記上流側搬送ローラのローラは前記回転ドラムに従動回転することを特徴とする請求項１０に記載の画像記録装置。
【請求項１２】
前記回転ドラムの回転は前記ローラとは別の駆動モータにより行うことを特徴とする請求項１０または１１に記載の画像記録装置。
【請求項１３】
前記上流側搬送ローラの下流側近傍に、前記回転ドラムから前記シート状の記録材料を剥離する剥離機構を備えることを特徴とする請求項１０，１１または１２に記載の画像記録装置。
【請求項１４】
前記アキュームガイド部材の開放後に、前記上流側搬送ローラの搬送速度を初期速度の１．５倍乃至８倍として前記シート状の記録材料を高速搬送することを特徴とする請求項４乃至１３のいずれか１項に記載の画像記録装置。
【発明の詳細な説明】
【０００１】
【発明の属する技術分野】
本発明は、シート状部材の搬送方法及びシート状の記録材料をアキュームするアキュームレータ部を有する画像記録装置に関する。
【０００２】
【従来の技術】
従来、記録紙等のシート状の記録材料を搬送する画像記録装置では、上流側のローラと下流側のローラとの間のアキュームレータ部で記録紙をアキュームすることにより安定に搬送するようにしている（下記特許文献１参照）。この場合、アキュームレータ部にアキュームガイド板を上流側のローラと下流側のローラとの間に配置し、記録紙を搬送する際にガイドするとともに、アキュームのときにアキュームガイド板を開放する。
【０００３】
従来の画像記録装置のアキュームレータ部における動作を図を参照して説明する。アキュームガイド板を閉じ（Ｓ５１）、上流側と下流側の各ローラを同じ搬送速度で駆動し（Ｓ５２）、記録紙を搬送し、下流側のローラの下流側の出口センサで記録紙を検出すると（Ｓ５３）、上流側と下流側の各ローラの駆動を同時に停止する（Ｓ５４）。次に、アキュームガイド板を開放し（Ｓ５５）、上流側のローラを再度駆動させることで（Ｓ５６）、記録紙の後端をアキュームレータ部に落下させる（Ｓ５７）。そして、上流側ローラを停止させてから（Ｓ５８）、出口側のシャッタを開き（Ｓ５９）、下流側ローラを低速で回転させて記録紙を現像部に搬出している（Ｓ６０）。
【０００４】
上流側と下流側の各ローラの搬送速度が同一のため、記録紙が下流側ローラを通過後に記録紙を出口センサで検知して下流側ローラを停止しても、アキュームガイド板を開放するまでに上流側ローラが記録紙を押し出すので、アキュームガイド板で記録紙が撓んでしまい、更に下流側ローラは記録紙送り出し方向ヘの回転可能なワンウェイクラッチが組み込まれているため、下流側ローラの記録紙停止位置よりも記録紙が押し出されてしまい、最悪の場合、搬送ジャムが発生してしまう。
【０００５】
これを回避するために、上述のように上流側と下流側の各ローラを同時に停止してから、アキュームガイド板を開放し、その後上流側ローラを再度駆動して記録紙をアキュームレータ部に落下させ、次に上流側ローラを停止させることで搬送ジャムの発生を回避している。しかし、このように上流側ローラを停止させるので、上流側ローラを停止させない場合に比べてアキュームガイド板を開放までの待ち時間が発生し、生産性が低下してしまう。
【０００６】
【特許文献１】
特開２００２−１４４２８公報
【０００７】
【発明が解決しようとする課題】
本発明は、上記従来技術の問題に鑑み、アキュームレータ部においてシート状の記録材料の搬送ジャムを防止するとともに搬送性を向上させて生産性を向上できる搬送方法及び画像記録装置を提供することを目的とする。
【０００８】
【課題を解決するための手段】
上記目的を達成するために、本発明によるシート状部材の搬送方法は、シート状部材を開閉可能なアキュームガイド部材でガイドして上流側搬送ローラと下流側搬送ローラとで搬送する搬送方法であって、前記アキュームガイド部材を閉じ、前記下流側搬送ローラを駆動するとともに前記上流側搬送ローラを前記下流側搬送ローラよりも低速で駆動し、前記シート状部材を前記アキュームガイド部材でガイドしながら搬送し、前記シート状部材が前記下流側搬送ローラに到達すると、前記下流側搬送ローラの駆動を停止し、前記アキュームガイド部材を開き、前記シート状部材をアキュームレータ部に落下させることを特徴とする。
【０００９】
このシート状部材の搬送方法によれば、上流側搬送ローラと下流側搬送ローラとの間に速度差を設け、上流側を下流側よりも遅くすることで、シート状部材の先端が下流側搬送ローラに到達すると、速度差によりシート状部材が下流側に引き込まれ、アキュームガイド部材の搬送経路内におけるシート状部材の撓みが吸収される。そして、下流側搬送ローラの停止後にアキュームガイド部材を開放するまでに上流側搬送ローラがシート状部材を送り出し続けていても、上流側搬送ローラを低速で駆動しているので、アキュームガイド部材でシート状部材をさほど押し出さない。これにより、搬送ジャムの発生を防止できるとともに、上流側搬送ローラを停止することなくアキュームレータ部にシート状部材の後端を落下させることができるので、シート状部材の搬送性・装置の生産性を向上できる。
【００１０】
上記シート状部材の搬送方法において、前記下流側搬送ローラの下流側近傍に配置された検出センサが前記シート状部材の先端を検出すると、前記下流側搬送ローラの駆動を停止し、前記アキュームガイド部材を開放するようにできる。
【００１１】
また、前記アキュームガイド部材の開放後に、前記上流側搬送ローラの搬送速度を前記アキュームガイド部材の開放前の搬送速度（初期速度）の１．５倍乃至８倍として前記シート状部材を高速搬送することで、シート状部材をアキュームレータ部に効率よくアキュームすることができる。
【００１２】
本発明による画像記録装置は、シート状の記録材料を搬送するときにアキュームするアキュームレータ部を備える画像記録装置において、前記アキュームレータ部に配置され前記シート状の記録材料をガイドするとともに前記アキュームのときに前記アキュームレータ部に開放されるアキュームガイド部材と、前記アキュームガイド部材の上流側に設けられた上流側搬送ローラと、前記アキュームガイド部材の下流側に設けられた下流側搬送ローラと、を備え、前記上流側搬送ローラの搬送速度が前記下流側搬送ローラの搬送速度よりも遅い構成としたことを特徴とする。
【００１３】
この画像記録装置によれば、上述の搬送方法を実行でき、上流側搬送ローラを下流側搬送ローラよりも遅くすることで、搬送ジャムの発生を防止でき、また、上流側搬送ローラを停止することなくアキュームレータ部にシート状の記録材料の後端を落下させることができるので、シート状の記録材料の搬送性を向上でき、画像記録装置の生産性を向上させることができる。
【００１４】
上記画像記録装置において、前記下流側搬送ローラの下流側近傍に前記シート状の記録材料を検出する検出手段を有することが好ましい。この場合、前記検出手段は前記下流側搬送ローラの接点から２０ｍｍ以上６０ｍｍ以下の下流側位置に配置されることが好ましい。また、前記検出手段が前記シート状の記録材料の先端を検出すると、前記下流側搬送ローラの駆動を停止し、前記アキュームガイド部材を開放するように構成することが好ましい。
【００１５】
また、前記上流側搬送ローラの搬送速度を前記下流側搬送ローラの搬送速度の７０乃至９５％にすることが好ましい。
【００１６】
また、前記下流側搬送ローラは、前記シート状の記録材料の送り出し方向への回転を自在とするワンウェイクラッチを有することが好ましい。
【００１７】
また、画像記録のときに前記シート状の記録材料を巻き付ける回転ドラムを備え、前記上流側搬送ローラは前記回転ドラムとローラとの対から構成できる。この場合、前記上流側搬送ローラのローラは前記回転ドラムに従動回転するようにできる。また、前記回転ドラムの回転は前記ローラとは別の駆動モータにより行うことが好ましい。なお、このローラは、例えば駆動モータを設けずに、従動ローラから構成することができる。
【００１８】
また、前記上流側搬送ローラの下流側近傍に、前記回転ドラムから前記シート状の記録材料を剥離する剥離機構を備えることで、回転ドラムからシート状の記録材料をアキュームガイド部材へと搬送できる。
【００１９】
また、前記アキュームガイド部材の開放後に、前記上流側搬送ローラの搬送速度を初期速度の１．５倍乃至８倍として前記シート状の記録材料を高速搬送することにより、アキュームレータ部にシート状の記録材料を効率よくアキュームすることができ、装置全体の生産性の向上に寄与する。
【００２０】
【発明の実施の形態】
以下、本発明による実施の形態について図面を用いて説明する。図１は本実施の形態による画像記録装置の内部を正面側から見た図である。図２は図１の画像記録装置のアキュームレート部及びその近傍を示す要部正面図である。
【００２１】
図１に示すように、本実施の形態による画像記録装置１は、記録材料に露光し画像を形成する露光ユニット１１と、露光された記録材料を現像する現像ユニット２１と、を備える。露光ユニット１１は、内部にロール状に巻かれたシート状記録材料である記録紙を収納した専用のカートリッジ１３を装填し収容する装填部１２，１２’と、装填部１２，１２’に装填されたカートリッジ１３から記録紙を給送する搬送ローラ対４０，４１，４２等からなる給送部１４と、給送部１４から給送された記録紙Ｓを外周面に真空吸引し保持しながら主走査のために回転方向Ｒに回転するドラム１０と、ドラム１０上の記録紙に対しＬＥＤ光やレーザ光等の光ビームを露光する光学ユニット１６と、光学ユニット１６を副走査のために副走査方向（図１の紙面垂直方向）に搬送する副走査部１７と、画像記録後のドラム１０上の記録紙を剥離する剥離部材１５と、を備える。
【００２２】
露光後の記録紙は出口１９及び接続部１９ａを通して現像ユニット２１へと搬送される。また、ドラム１０の回転軸にはロータリエンコーダ５８（図３）が接続されており、ドラム１０の回転位置及び回転速度を検出するようになっている。
【００２３】
図１の画像記録装置１は、更に、記録紙をドラム１０との間で搬送する従動ローラ３１と、ドラム１０上から剥離部材１５で剥離された記録紙をドラム１０と従動ローラ３１とで搬送するときに記録紙をガイドするアキュームガイド部材１８と、アキュームガイド部材１８で送られてきた記録紙を出口１９へと更に搬送する搬送ローラ対３２と、搬送ローラ対３２に達した記録紙をアキュームするためのアキュームレート部３０と、搬送ローラ対３２の下流側近傍に配置された記録紙の先端を検出する検出センサ３３と、を備える。下流側の搬送ローラ対３２は、ワンウェイクラッチ構造を有し、記録紙の下流側への送り出し方向への回転が自在となっている。
【００２４】
図１の現像ユニット２１は、露光ユニット１１から送られた露光後の記録紙について湿式現像を行うもので、記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で外部に排出する排出部２７と、を備える。
【００２５】
次に、図１の画像記録装置１のアキュームレート部及びその近傍の搬送ローラ等について図２を参照して説明する。
【００２６】
図２に示すように、上流側搬送ローラはドラム１０と従動ローラ３１とから構成され、ドラム１０はドラム駆動用モータ５１（図３）から回転駆動され、従動ローラ３１はドラム１０の回転により従動回転する。上流側搬送ローラの下流側に配置されたアキュームガイド部材１８は、上方にある下流側の搬送ローラ対３２に向けて傾斜しており、図２の実線のように固定ガイド板１８ａと回動ガイド板１８ｂとの間にガイド通路１８ｄを形成している。
【００２７】
回動ガイド板１８ｂは回動支持部材３５により図２の実線位置で支持される。即ち、回動支持部材３５が図２の破線位置から実線位置まで回動軸３ａを中心に駆動用モータ５３（図３）で回動方向ａに回動することで、回動ガイド板１８ｂが回動軸１８ｅを中心に回動方向ｂに図の実線位置まで回動し、アキュームガイド部材１８が閉じられ、ガイド通路１８ｄが形成される。形成されたガイド通路１８ｄで記録紙をガイドしながら搬送可能となる。
【００２８】
また、回動支持部材３５が図２の実線位置から回動方向ａと反対方向ａ’に破線位置まで回動することで、回動ガイド板１８ｂが回動方向ｂと反対方向ｂ’に図２の破線位置まで回動し、アキュームガイド部材１８が開かれ、記録紙をアキュームできる空間を有するアキュームレート部３０が形成される。
【００２９】
図２のように、剥離部材１５は、回動軸１５ａを中心に駆動用モータ４９（図３）で回動されて爪部１５ｂがドラム１０の外周面に接近し、図２の実線位置の回動ガイド板１８ｂの端部１８ｃとにより搬送路３６を形成するとともに、ドラム１０と従動ローラ３１との間から搬送されてきた記録紙を爪部１５ｂでドラム１０から剥離し、搬送路３６及びアキュームガイド部材１８のガイド通路１８ｄへと搬送する。ガイド通路１８ｄから送られてきた記録紙は、駆動用モータ５２により駆動される下流側の搬送ローラ対３２で更に搬送される。
【００３０】
図２のように、下流側の搬送ローラ対３２の下流側近傍には、搬送ローラ対３２で搬送された記録紙を出口１９へと案内するガイド部材５４と、ガイド部材５４の下流側と出口１９との間に配置されたシャッタ板５５と、が設けられている。
【００３１】
シャッタ板５５は、記録紙Ｓの先端を検出センサ３３で検出すると、モータ５７によるアーム５６の駆動で図２の上方向Ｖに持ち上げられることによりガイド部材５４の下流側を開き、また、逆に動作することで閉じる。
【００３２】
図３に図１の画像記録装置１の制御系のブロック図を示す。図３の画像記録装置１の制御部５０は、中央演算処理装置（ＣＰＵ）等から構成され、搬送ローラ対３２の下流側近傍に配置された検出センサ３３の記録紙先端の検出及びドラム１０のロータリエンコーダ５８の回転位置・回転速度の検出等に基づいてドラム１０の駆動用モータ５１，下流側の搬送ローラ対３２の駆動用モータ５２，シャッタ板５５の駆動用モータ５７，剥離部材１５の駆動用モータ４９及びアキュームガイド部材１８の駆動用モータ５３を所定のタイミングで制御する。
【００３３】
次に、図１乃至図３の画像記録装置１の動作を図４のフローチャートを参照して説明する。まず、図１の露光ユニット１１において、装填部１２または１２’のカートリッジ１３から記録紙を搬送ローラ対４０，４１，４２により給送部１４を通してドラム１０に給送し（Ｓ０１）、記録紙を切断し、記録紙をドラム１０の外周面に真空吸引し保持し、光学ユニット１６から光ビームをドラム１０上の記録紙に対し露光する（Ｓ０２）。この露光時にドラム１０を回転方向Ｒに回転させて主走査し、光学ユニット１６を副走査部１７で副走査することで、記録紙に画像記録を行う。
【００３４】
上述の画像記録後、ドラム１０を所定量回転させ（Ｓ０３）、剥離部材１５を回動させ爪部１５ｂをドラム１０上に付勢し保持するとともに、回動支持部材３５を図２の回動方向ａに回動させて回動ガイド板１８ｂを回動方向ｂに図２の実線位置まで回動させることでアキュームガイド部材１８を閉じる（Ｓ０４）。
【００３５】
次に、ドラム１０及び下流側の搬送ローラ対３２を回転駆動する（Ｓ０５）。そして、ドラム１０が回転すると爪部１５ｂで記録紙が剥離される（Ｓ０６）。このとき、図３の制御部５０は、ドラム１０の駆動用モータ５１をロータリエンコーダ５８の検出等に基づいて制御し、ドラム１０と従動ローラ３１とから構成される上流側搬送ローラによる記録紙の搬送速度を下流側の搬送ローラ対３２よりも遅くなるように制御する。上流側搬送ローラによる記録紙の搬送速度は、下流側の搬送ローラ対３２の７０乃至９５％であることが好ましく、例えば、前者が４２．５ｍｍ／秒であり、後者が５０ｍｍ／秒である。
【００３６】
次に、剥離された記録紙を上流側搬送ローラにより搬送路３６で図２の矢印方向ｃに向けてアキュームガイド部材１８のガイド通路１８ｄでガイドしながら搬送し、下流側の搬送ローラ対３２に到達し、搬送ローラ対３２を通過すると、検出センサ３３で記録紙の先端を検出する（Ｓ０７）。検出センサ３３は搬送ローラ対３２の接点から下流側２０乃至６０ｍｍの範囲内に配置され、例えば４０ｍｍの位置に配置されているので、記録紙の先端がこの位置に達し検出されると、搬送ローラ対３２の駆動を停止する（Ｓ０８）。
【００３７】
次に、回動支持部材３５を図２の回動方向ａ’に回動させて回動ガイド板１８ｂを回動方向ｂ’に図２の破線位置まで回動させることでアキュームガイド部材１８を開放する（Ｓ０９）。そして、上流側搬送ローラの搬送速度をアキュームガイド部材１８の開放前の搬送速度（初期速度）の１．５倍乃至８倍として記録紙を高速搬送する（Ｓ１０）。かかる高速搬送は、図３の制御部５０がアキュームガイド部材１８の駆動用モータ５３の動作タイミングに合わせてドラム駆動用モータ５１の回転速度を制御することで実行される。
【００３８】
上記アキュームガイド部材１８の開放により、固定ガイド板１８ａと図２の破線位置の回動ガイド板１８ｂとの間にアキュームレート部３０が形成され、記録紙が上流側搬送ローラにより高速搬送されアキュームレート部３０にアキュームされ、ついには記録紙の後端がアキュームレート部３０に落下してから（Ｓ１１）、ドラム１０（上流側搬送ローラ）の回転を止める（Ｓ１２）。
【００３９】
次に、図２のシャッタ板５５を開き（Ｓ１３）、下流側の搬送ローラ対３２を駆動し、記録紙を搬送し出口１９を通して現像ユニット２１へと搬送する（Ｓ１４）。
【００４０】
次に、現像ユニット２１では、出口１９から接続部１９ａを通して送られてきた露光後の記録紙について現像部２３、定着部２４、安定部２５、乾燥部２６で各現像処理を行い（Ｓ１５）、画像記録がされた記録紙を搬送ローラ対２７ａ等により排出部２７から装置外部の記録紙受部２８へと排出する（Ｓ１６）。
【００４１】
以上の動作の内で、ステップＳ０５において記録紙が下流側搬送ローラ３２に到達すると、下流側搬送ローラ３２よりも上流側搬送ローラ３２の搬送速度が遅いので、その速度差により記録紙が下流側搬送ローラ３２側に引き込まれ、アキュームガイド部材１８のガイド通路１８ｄにおいて記録紙の撓みが吸収される。そして、ステップＳ０７乃至Ｓ０９において記録紙の先端が検出センサ３３で検出されて下流側搬送ローラ３２が停止してからアキュームガイド部材１８が開放されるまでの間に、上流側搬送ローラが記録紙を送り出し続けていても、上流側搬送ローラを低速で駆動しているので、アキュームガイド部材１８では記録紙をさほど押し出さない。このようにして搬送ジャムの発生を防止できる。
【００４２】
また、ステップＳ０９において上流側搬送ローラを停止しないのでアキュームガイド部材１８の開放までの待ち時間が発生せず、更に、ステップＳ１０において上流側搬送ローラで記録紙の高速搬送を行うのでアキュームレータ部３０に記録紙の後端を効率的に落下させることができる。このため、記録紙の搬送性を向上できるとともに、画像記録装置１の生産性を向上させることができる。
【００４３】
以上のように本発明を実施の形態により説明したが、本発明はこれらに限定されるものではなく、本発明の技術的思想の範囲内で各種の変形が可能である。例えば、本発明による搬送方法をシート状の記録材料に画像記録を行い記録材料を搬送する画像記録装置に適用したが、アキュームレータ部を有しシート状部材を搬送する他の装置に適用できることは勿論である。また、図１，図２の検出センサ３３は、反射型の光センサ等の非接触センサから構成できるが、透過型の光センサから構成してもよい。
【００４４】
【発明の効果】
本発明の搬送方法によれば、アキュームレータ部においてシート状部材の搬送ジャムを防止するとともに搬送性を向上させることができる。
【００４５】
また、本発明の画像記録装置によれば、アキュームレータ部においてシート状の記録材料の搬送ジャムを防止するとともに搬送性を向上させて生産性を向上できる。
【図面の簡単な説明】
【図１】本実施の形態による画像記録装置の内部を正面側から見た図である。
【図２】図１の画像記録装置のアキュームレート部及びその近傍を示す要部正面図である。
【図３】図１の画像記録装置１の制御系のブロック図である。
【図４】図１の画像記録装置の動作を説明するためのフローチャートである。
【図５】従来の画像記録装置の動作を説明するためのフローチャートである。
【符号の説明】
１・・・画像記録装置
１０・・・ドラム
１５・・・剥離部材
１８・・・アキュームガイド部材
１８ａ・・・固定ガイド板
１８ｂ・・・回動ガイド板
３０・・・アキュームレータ部
３１・・・従動ローラ（上流側搬送ローラ）
３２・・・下流側の搬送ローラ対
３３・・・検出センサ
３５・・・回動支持部材
【図１】
2004307114.tif 000003
【図２】
2004307114.tif 000004
【図３】
2004307114.tif 000005
【図４】
2004307114.tif 000006
【図５】
2004307114.tif 000007